(57)【要約】【課題】景品払出機の前後方向の長さを短くすることができ、また、収納ユニットのカセットから、遊技客等がアクセス可能な位置までの景品の搬送時間を短縮することができ、しかも、この搬送に必要な駆動機構の構成をシンプルなものとすることができ、さらに、遊技客や従業員に対して景品を景品一時保留部から取り出すタイミングを知らせることができる景品払出機を提供する。【解決手段】景品搬送部４０は景品収納ユニット３０の各カセット３０ａ、３０ｂにおける最も下層にある景品Ｐを景品一時保留部２８に直接的に搬送する。シャッタ機構２４は、景品一時保留部２８を覆い当該景品一時保留部２８からの景品Ｐの取り出しを阻止する受渡阻止位置と、景品一時保留部２８から退避し当該景品一時保留部２８からの景品Ｐの取り出しを許容する受渡許容位置との間で往復自在となっている。【選択図】図５
2008079758.tif 000002
【特許請求の範囲】
【請求項１】
複数の景品を積層状態で収納し最も下層にある景品が取り出し可能であるカセットが配設された収納ユニットと、
前記収納ユニットのカセットから取り出された景品が一時的に保留される景品一時保留部と、
前記収納ユニットの下方において前記カセットにおける最も下層にある景品を前記景品一時保留部に直接的に搬送する景品搬送部と、
前記景品一時保留部を覆い当該景品一時保留部からの景品の取り出しを阻止する受渡阻止位置と、前記景品一時保留部から退避し当該景品一時保留部からの景品の取り出しを許容する受渡許容位置との間で往復移動自在となっているシャッタ機構と、
を備えたことを特徴とする景品払出機。
【請求項２】
前記シャッタ機構における前記受渡許容位置は、前記景品搬送部による景品の前記景品一時保留部への搬送方向に対して前記受渡阻止位置よりも上後方にあることを特徴とする請求項１記載の景品払出機。
【請求項３】
前記収納ユニットおよび景品搬送部の組合せ体は並列に複数組設けられ、前記景品一時保留部には各収納ユニットからそれぞれ景品が各景品搬送部により送られるようになっており、
各収納ユニットから送られる景品を前記景品一時保留部上の所定の位置に整列させるよう並列に配設された複数の仕切り部材であって、前記シャッタ機構と連動して移動するような複数の仕切り部材を更に備えたことを特徴とする請求項１または２記載の景品払出機。
【請求項４】
前記各仕切り部材は、前記シャッタ機構にそれぞれ取り付けられていることを特徴とする請求項３記載の景品払出機。
【請求項５】
前記シャッタ機構は透光性の窓部材を有することを特徴とする請求項１乃至４のいずれか一項に記載の景品払出機。
【請求項６】
前記シャッタ機構は、前記受渡許容位置から前記受渡阻止位置まで移動するときの移動速度が前記受渡阻止位置から前記受渡許容位置まで移動するときの移動速度よりも小さくなるよう構成されていることを特徴とする請求項１乃至５のいずれか一項に記載の景品払出機。
【請求項７】
前記景品一時保留部に景品有無検知センサが設置され、
前記シャッタ機構が前記受渡許容位置にある状態において、前記景品有無検知センサによって前記景品一時保留部に景品が残存していることが検知されたときに、当該シャッタ機構は前記受渡阻止位置に移動しないようになっていることを特徴とする請求項１乃至６のいずれか一項に記載の景品払出機。
【請求項８】
前記景品一時保留部に景品有無検知センサが設置され、
前記景品一時保留部に搬送された景品について搬送後予め設定された所定時間が経過しても前記景品有無検知センサによって前記景品一時保留部に当該景品が残存していることが検知されたときにこのことの報知を行う報知手段を更に備えたことを特徴とする請求項１乃至６のいずれか一項に記載の景品払出機。
【請求項９】
前記景品一時保留部に搬送された景品について搬送後予め設定された所定時間が経過しても前記景品有無検知センサによって前記景品一時保留部に当該景品が残存していることが検知されたときに、前記報知手段による報知に加え、前記シャッタ機構は前記受渡阻止位置に移動するようになっていることを特徴とする請求項８記載の景品払出機。
【発明の詳細な説明】
【技術分野】
【０００１】
本発明は、内部に収納された景品の払い出しを行う景品払出機に関し、とりわけ、景品払出機の前後方向の長さを短くすることができるとともに景品の受渡し時間を短縮することができ、しかも、遊技客や従業員に対して景品一時保留部から景品を取り出すタイミングを知らせることができる景品払出機に関する。
【背景技術】
【０００２】
例えばパチンコ店等の遊技施設において、遊技客が獲得したパチンコ玉等の遊技媒体の個数に応じて景品の払い出しを当該遊技客に対して行うための景品払出機が設置されている。このような景品払出機としては、従来より例えば特許文献１、２等に示すものが知られている。
【０００３】
特許文献１に開示される景品払出機において、払出ユニットが１列に８レーン配設されている。各々の払出ユニットは、複数の景品を積層状態で収納する１つのカセットから構成されている。３ｍｍ厚さの景品がこのカセットに収納される場合、各カセットにおける景品の収納枚数は例えば１００枚となる。このため、景品払出機全体における景品の収納枚数は例えば８００枚となる。
【０００４】
特許文献２に開示される景品払出機は、複数の景品を積層状態で収納するカセットが１レーンにつき前後方向に直列で複数設けられ、景品取り出し手段が、各レーンにおける複数のカセットのうち選択された一のカセットから最も下層にある景品を取り出して景品払出口に搬送するよう構成されている。この景品払出機において、選択された一のカセットと景品取り出し手段とを、当該カセットに収納された最も下層にある景品に景品取り出し手段が近接する位置と近接しない位置との間で相対的に移動させるようになっている。具体的には、カセット内にある景品を遊技客に払い出す場合、繰り出そうとする景品が収納されたカセットを選択的に降下させ、このカセットに収納された景品と景品取り出し手段が近接するような状態として、景品取り出し手段によりカセット内の景品を繰り出すようになっている。
【０００５】
【特許文献１】特許第２７２２３９６号
【特許文献２】特開２００５−２１１６８６号公報
【発明の開示】
【発明が解決しようとする課題】
【０００６】
しかしながら、従来より知られている景品払出機には様々な問題がある。例えば、特許文献１に示されるような景品払出機においては、カセットに収納された景品を１枚ずつ景品押出し部により一旦スタックガイド部（一時保留部）に搬送し、このスタックガイド部上に積層状態で一時的に保留された複数の景品を更に押出しアーム部により景品ベース部に一度に押し出すようになっている。このような景品払出機によれば、カセットの前方にスタックガイド部を設け、その前方に更に景品ベース部を設けているので、当該景品払出機の前後方向の長さが大きくなってしまうという問題が生じる。このため、景品払出機の設置スペースに制限が生じてしまい、とりわけ、景品の収納数を増加させたい場合はその影響が大きくなってしまう。また、スタックガイド部に一時的に保留された積層状態の複数の景品を押し出すという動作が必要となるため、一連の景品の払出し時間が長くなってしまうという問題がある。さらに、アーム部材およびその駆動機構を設ける必要があるので、コストアップにつながるとともに、駆動機構の構成が複雑となることにより故障の発生率が高くなってしまう。
【０００７】
また、特許文献２に示されるような景品払出機によれば、各レーンから景品取り出し手段により繰り出された景品は受け皿に集積されるようになっている。しかしながら、このような景品払出機によれば、繰り出された景品は受け皿内で整列されることなく位置ズレが生じて遊技客が景品を取り出しにくくなるおそれがある。また、受け皿内において先に繰り出された景品と後から繰り出された景品とが干渉するおそれがあり、先に繰り出された景品が受け皿から押し出されたり、先に繰り出された景品が受け皿内でつっかえて後続景品が詰まってジャムを発生させたりするおそれがある。さらに、１回の取引における景品の投出動作の完了時期がわかりにくく、遊技客や従業員が景品を受け皿から取り出すタイミングがわからないという問題がある。
【０００８】
本発明は、このような点を考慮してなされたものであり、景品払出機の前後方向の長さを短くすることができ、また、収納ユニットのカセットから、遊技客等がアクセス可能な位置までの景品の搬送時間を短縮することができ、しかも、この搬送に必要な駆動機構の構成をシンプルなものとすることができ、さらに、遊技客や従業員に対して景品一時保留部から景品を取り出すタイミングを知らせることができる景品払出機を提供することにある。
【課題を解決するための手段】
【０００９】
本発明は、複数の景品を積層状態で収納し最も下層にある景品が取り出し可能であるカセットが配設された収納ユニットと、前記収納ユニットのカセットから取り出された景品が一時的に保留される景品一時保留部と、前記収納ユニットの下方において前記カセットにおける最も下層にある景品を前記景品一時保留部に直接的に搬送する景品搬送部と、前記景品一時保留部を覆い当該景品一時保留部からの景品の取り出しを阻止する受渡阻止位置と、前記景品一時保留部から退避し当該景品一時保留部からの景品の取り出しを許容する受渡許容位置との間で往復移動自在となっているシャッタ機構と、を備えたことを特徴とする景品払出機である。
【００１０】
このような景品払出機によれば、収納ユニットのカセットから景品を直接的に景品一時保留部まで搬送するので、景品払出機の前後方向の長さを短くすることができ、景品払出機の設置スペースの自由度を大きくすることができる。また、このことにより、収納ユニットのカセットから、遊技客等がアクセス可能な位置までの景品の搬送時間を短縮することができ、しかも、この搬送に必要な駆動機構の構成をシンプルなものとすることができる。さらに、受渡阻止位置と受渡許容位置との間で往復移動自在となっているシャッタ機構を設けることにより、遊技客や従業員に対して景品一時保留部から景品を取り出すタイミングを知らせることができ、遊技客等は所望の数量の景品を確実に取得することができるようになる。
【００１１】
本発明の景品払出機においては、前記シャッタ機構における前記受渡許容位置は、前記景品搬送部による景品の前記景品一時保留部への搬送方向に対して前記受渡阻止位置よりも上後方にあることが好ましい。このことにより、遊技客等が景品一時保留部上にある景品を取る際に、受渡許容位置にあるシャッタ機構が邪魔になることがなく、景品を取り出し易くなる。
【００１２】
本発明の景品払出機においては、前記収納ユニットおよび景品搬送部の組合せ体は並列に複数組設けられ、前記景品一時保留部には各収納ユニットからそれぞれ景品が各景品搬送部により送られるようになっており、各収納ユニットから送られる景品を前記景品一時保留部上の所定の位置に整列させるよう並列に配設された複数の仕切り部材であって、前記シャッタ機構と連動して移動するような複数の仕切り部材を更に備えたことが好ましい。このような仕切り部材が設けられていることにより、シャッタ機構が受渡阻止位置にあるときは、各仕切り部材は各収納ユニットから送られる景品を景品一時保留部上の所定の位置に積み重ねて整列させることができ、一方、シャッタ機構が受渡許容位置にあるときは、各仕切り部材は景品一時保留部から退避するようになり、遊技客が景品一時保留部上の景品を取り出すにあたりこれらの仕切り部材が邪魔になることがなくなる。
【００１３】
本発明の景品払出機においては、前記各仕切り部材は、前記シャッタ機構にそれぞれ取り付けられていることが好ましい。
【００１４】
本発明の景品払出機においては、前記シャッタ機構は透光性の窓部材を有することが好ましい。このことにより、シャッタ機構が景品一時保留部を覆っている場合であっても、遊技客は窓部材を介して景品一時保留部上の景品を見ることができるようになり、遊技客にとって退屈しのぎとなる。
【００１５】
本発明の景品払出機においては、前記シャッタ機構は、前記受渡許容位置から前記受渡阻止位置まで移動するときの移動速度が前記受渡阻止位置から前記受渡許容位置まで移動するときの移動速度よりも小さくなるよう構成されていることが好ましい。このことにより、シャッタ機構が閉じる際の速度が遅くなるので当該シャッタ機構の安全性を向上させることができる。
【００１６】
本発明の景品払出機においては、前記景品一時保留部に景品有無検知センサが設置され、前記シャッタ機構が前記受渡許容位置にある状態において、前記景品有無検知センサによって前記景品一時保留部に景品が残存していることが検知されたときに、当該シャッタ機構は前記受渡阻止位置に移動しないようになっていることが好ましい。
【００１７】
本発明の景品払出機においては、前記景品一時保留部に景品有無検知センサが設置され、前記景品一時保留部に搬送された景品について搬送後予め設定された所定時間が経過しても前記景品有無検知センサによって前記景品一時保留部に当該景品が残存していることが検知されたときにこのことの報知を行う報知手段を更に備えたことが好ましい。また、前記報知手段による報知に加え、前記シャッタ機構は前記受渡阻止位置に移動するようになっていることが更に好ましい。
【発明の効果】
【００１８】
本発明の景品払出機によれば、景品払出機の前後方向の長さを短くすることができ、また、収納ユニットのカセットから、遊技客等がアクセス可能な位置までの景品の搬送時間を短縮することができ、しかも、この搬送に必要な駆動機構の構成をシンプルなものとすることができる。さらに、遊技客や従業員に対して景品一時保留部から景品を取り出すタイミングを知らせることができる。
【発明を実施するための最良の形態】
【００１９】
以下、図面を参照して本発明の一の実施の形態について説明する。図１乃至図５は、本発明による景品払出機の一の実施の形態を示す図である。
このうち、図１は、本実施の形態における景品払出機の斜視図であり、図２は、図１に示す景品払出機について、本体扉を開けたときの内部の構成を示す斜視図である。また、図３は、図１に示す景品払出機について、シャッタ機構を開けたときの状態を示す斜視図であり、図４は、図１に示す景品払出機について、非常時にメンテナンス用扉を開けたときの状態を示す斜視図である。また、図５は、図１に示す景品払出機とその筐体内に収容されたカセットおよび景品搬送部の状態を示す説明図である。
【００２０】
まず、本実施の形態における景品払出機１の概要について図１乃至図５を参照して説明する。図１および図５に示すように、景品払出機１は、筐体１０と、この筐体１０の上部に設けられ、開閉自在となっている本体扉１２とを備えている。図１は、本体扉１２が閉じているときの景品払出機１の状態を示し、図２は、本体扉１２が開いているときの景品払出機１の状態を示している。この本体扉１２は、筐体１０に対する景品収納ユニット３０の各カセット３０ａ、３０ｂ（後述）の着脱動作を行う際に開閉されるようになっており、当該本体扉１２には開閉検知センサ（図示せず）が取り付けられている。
【００２１】
筐体１０の一方の側面（図５の右側の側面。設置状態では従業員が立つ側）には、従業員が入庫、集計、設定等の操作を行うための操作部１４と、例えばモノクロＬＣＤからなり従業員にとって必要な情報、具体的には景品Ｐの払い出し枚数、エラーガイダンス、設定内容等が表示される店側表示部１６とが設けられている。これに対して、筐体１０の他方の側面（図５の左側の側面。設置状態では遊技員が立つ側）には、例えばカラーＬＣＤからなり遊技客にとって必要な情報、具体的には景品Ｐの払い出し枚数、金額等が表示される客側表示部１８が設けられている。なお、本明細書において、景品払出機１の「前方側」とは客側表示部１８側（図５の左側）のことをいい、「後方側」とは店側表示部１６側（図５の右側）のことをいう。
【００２２】
また、景品払出機１における筐体１０の前方側（図５の左側）には開閉自在のメンテナンス用扉２６が設けられている。このメンテナンス用扉２６は、筐体１０内で景品Ｐのジャム（詰まり）等が生じた場合に、従業員が筐体１０内部のチェック等を行うために用いられる。図１における景品払出機１はメンテナンス用扉２６が閉じているときの状態を示し、一方、図４における景品払出機１はメンテナンス用扉２６が開くとともにシャッタ機構２４の上シャッタ部２４ａが下方に移動したときの状態を示している。
【００２３】
図５に示すように、景品払出機１における筐体１０の内部には景品収納ユニット３０が設けられている。この景品収納ユニット３０は、複数の景品Ｐを積層状態で収納し最も下層にある景品Ｐが取り出し可能である複数、例えば２つのカセット３０ａ、３０ｂから構成されている。この景品収納ユニット３０において、各カセット３０ａ、３０ｂは前後方向（図５の左右方向）に直列となるよう配設されており、各カセット３０ａ、３０ｂは筐体１０に対して着脱自在となっている。ここで、各カセット３０ａ、３０ｂにおける最も下層にある景品Ｐの高さレベルが互いに異なるようになっている。具体的には、図５等に示すように、前方側（図５の左側）のカセット３０ａにおける最も下層にある景品Ｐが、後方側（図５の右側）のカセット３０ｂにおける最も下層にある景品Ｐよりも高い位置となるよう、各カセット３０ａ、３０ｂが筐体１０内に配設されている。
図２に示すように、このような景品収納ユニット３０は、景品払出機１の幅方向（図５の紙面に対して垂直な方向）に沿って例えば７レーン（７列）設けられている（このため、カセットは合計１４個設けられることとなる）。この景品収納ユニット３０の構成の詳細については後述する。
【００２４】
景品払出機１の筐体１０の内部において、景品収納ユニット３０の下方には、この景品収納ユニット３０の各カセット３０ａ、３０ｂに収納された景品Ｐを、景品一時保留部２８（後述）に１つずつ直接搬送する景品搬送部４０が設けられている。この景品搬送部４０の構成の詳細については後述する。
【００２５】
図５に示すように、景品一時保留部２８は、景品収納ユニット３０から送られた景品Ｐが一時的に保留される部分である。この景品一時保留部２８に一時的に保留される景品Ｐは、外部から遊技客がアクセス可能となっている。この景品一時保留部２８の上方には、当該景品一時保留部２８を覆うようなシャッタ機構２４が設けられている。図１および図５に示すように、シャッタ機構２４は、上シャッタ部２４ａと下シャッタ部２４ｂとから構成されている。このシャッタ機構２４は、景品一時保留部２８を覆い当該景品一時保留部２８からの景品Ｐの取り出しを阻止する受渡阻止位置（図１参照）と、景品一時保留部２８から上後方（図５の右上方向）に退避し当該景品一時保留部２８からの景品Ｐの取り出しを許容する受渡許容位置（図３参照）との間で往復移動自在となっている。また、このシャッタ機構２４には、当該シャッタ機構２４の開閉状態を検知するための開閉検知センサ（図示せず）が取り付けられている。このようなシャッタ機構２４の構成の詳細については後述する。
【００２６】
さらに、図５に示すように、景品払出機１の筐体１０の内部には、景品払出機１の各構成要素に指令信号を与えてこれらの各構成要素の制御、具体的には景品Ｐの払い出し、表示、通信等の制御を行う制御部２０と、景品払出機１の各構成要素に電力を供給する電源部２２とが内蔵されている。
【００２７】
次に、上述のような景品払出機１の各構成要素の詳細について図６乃至図１６を用いて説明する。
まず、図６乃至図１２を用いて、景品払出機１の景品収納ユニット３０および景品搬送部４０の構成の詳細について説明する。ここで、図６は、景品搬送部４０の全体構成を示す斜視図であり、図７は、図６に示す景品搬送部４０における下半部分の構成を示す斜視図である。また、図８は、景品収納ユニット３０の各カセット３０ａ、３０ｂの構成を示す斜視図であり、図９は、景品払出機１に収納される景品Ｐの構成の詳細を示す説明図である。また、図１０は、景品搬送部４０の構成の概略を示す説明図であり、図１１は、図１０に示す景品搬送部４０を左方（装置前方）から見た説明用正面図であり、図１２は、図１０に示す景品搬送部４０を上方から見た説明用上面図である。
【００２８】
図８に示すように、景品収納ユニット３０の各カセット３０ａ、３０ｂは略直方体形状の筐体からなり、この筐体内に景品Ｐが積層状態で収納されるようになっている。景品Ｐは、図９に示すように板状のものからなり、その内部に非接触ＩＣタグＩが設けられている。各カセット３０ａ、３０ｂの筐体内に積層状態で収納された景品Ｐは、例えば錘（ウエイト、図示せず）により上方から力が加えられ、下方に押圧されるようになっている。
【００２９】
各カセット３０ａ、３０ｂの筐体の上面には把手３２が取り付けられており、従業員はこの把手３２を把持することにより各カセット３０ａ、３０ｂの運搬を行うことができるようになっている。また、各カセット３０ａ、３０ｂの下部では側壁３０ｐが前壁３０ｑよりも下方まで延びるよう設けられ、側壁３０ｐと前壁３０ｑとの段差部分で景品繰出口３８が構成されている。さらに、図８に示すように側壁３０ｐの内面下縁には、景品Ｐが下方に脱落せずに景品繰出口３８から１枚ずつ前方に送り出し可能となるよう、左右一対の底面部材３６が形成されている。前壁３０ｑは、筐体から取り外し可能な蓋部になっており、景品装填時や景品回収時には取り外される。
【００３０】
また、各カセット３０ａ、３０ｂの前壁３０ｑには誤挿入防止部材３４が設けられている。この誤挿入防止部材３４には複数の貫通孔が形成されており、各カセット３０ａ、３０ｂに収納されるべき景品Ｐの種類に応じて、この複数の貫通孔のうちいくつかの貫通孔を閉塞部材（例えば、スライド板）により塞ぐようになっている。一方、景品払出機１の筐体１０内において、各カセット３０ａ、３０ｂが収納されるべき箇所には、これらの各カセット３０ａ、３０ｂの誤挿入防止部材３４の各貫通孔に対応して当該貫通孔を貫通するような突起部（図示せず）が設けられている。この筐体１０内に設けられた突起部は、各カセット３０ａ、３０ｂに収納されるべき景品Ｐの種類に応じてその個数や配置が設定されており、もし誤って景品Ｐの種類が異なるカセット３０ａ、３０ｂを筐体１０内に収容した場合は、貫通孔を塞ぐ閉塞部材に突起部が当たってしまい、カセット３０ａ、３０ｂを筐体１０内に正常に収容することができないようになっている。このことにより、従業員は誤って景品Ｐの種類が異なるカセット３０ａ、３０ｂを筐体１０内に収容したことに気づくこととなる。
【００３１】
図７、図１０等に示すように、景品搬送部４０は、景品収納ユニット３０の下方において各カセット３０ａ、３０ｂに対応して各々設けられる２つの搬送機構４０ａ、４０ｂから構成されている。各々の搬送機構４０ａ、４０ｂは、対応するカセット３０ａ、３０ｂのみにおける最も下層にある景品Ｐを景品一時保留部２８まで搬送するようになっている。具体的には、搬送機構４０ａは前方側のカセット３０ａのみに収納された景品Ｐのうち最も下層にある景品Ｐを景品一時保留部２８まで搬送し、搬送機構４０ｂは後方側のカセット３０ｂのみに収納された景品Ｐのうち最も下層にある景品Ｐを景品一時保留部２８まで搬送するようになっている。
【００３２】
図７および図１０乃至図１２に示すように、搬送機構４０ａは、前方側のカセット３０ａの真下にある景品取出位置から景品一時保留部２８まで延びるように設置された案内板４８ａと、案内板４８ａの下方において、カセット３０ａの真下にある景品取出位置の近傍および景品一時保留部２８の近傍をそれぞれ通過するよう循環移動を行う無端状の循環ベルト４２ａと、循環ベルト４２ａを張架するための一対のプーリ４４ａと、一対のプーリ４４ａのうち後方側（図１０の右側）のプーリ４４ａを回転させることにより循環ベルト４２ａを循環移動させる駆動モータ４６ａとを有している。なお、図１２に示す搬送機構４０ａにおいては案内板４８ａが省略されている。
【００３３】
案内板４８ａには、長手方向（図１０の左右方向）に延びる貫通溝が形成されている。また、循環ベルト４２ａの外面上には１つの押出部材５０ａが取り付けられている。この押出部材５０ａは、案内板４８ａの貫通溝を通過してこの案内板４８ａの上方に突出可能となっている。そして、この押出部材５０ａは、循環ベルト４２ａが循環移動を行う際にカセット３０ａのみに収納された最も下層にある景品Ｐの後端に係合してこのカセット３０ａ内から景品繰出口３８（図８参照）を介して外（前方）に押し出し、案内板４８ａ上を摺動させながらこの押し出された景品Ｐを景品一時保留部２８まで搬送するようになっている。
【００３４】
一方、搬送機構４０ｂは、搬送機構４０ａと同様に、後方側のカセット３０ｂの真下にある景品取出位置から景品一時保留部２８まで延びるように設置された案内板４８ｂと、案内板４８ｂの下方において、カセット３０ｂの真下にある景品取出位置の近傍および景品一時保留部２８の近傍をそれぞれ通過するよう循環移動を行う無端状の循環ベルト４２ｂと、循環ベルト４２ｂを張架するための一対のプーリ４４ｂと、一対のプーリ４４ｂのうち前方側（図１０の左側）のプーリ４４ｂを回転させることにより循環ベルト４２ｂを循環移動させる駆動モータ４６ｂとを有している。なお、図１２に示す搬送機構４０ｂにおいては案内板４８ｂが省略されている。
【００３５】
ここで、図７および図１０乃至図１２に示すように、搬送機構４０ｂの案内板４８ｂは、搬送機構４０ａの案内板４８ａの下方に離間して設けられている。また、案内板４８ｂの幅の大きさは案内板４８ａの幅の大きさと略同一となっている。また、とりわけ図１０乃至図１２に示すように、搬送機構４０ｂの循環ベルト４２ｂは搬送機構４０ａの循環ベルト４２ａと略同一の高さレベルとなっており、並列に隣り合わせとなるよう配設されている。この際に、循環ベルト４２ｂの長さは循環ベルト４２ａの長さの約２倍となっている。搬送機構４０ｂの一対のプーリ４４ｂのうち前方側（図１０の左側）のプーリ４４ｂは搬送機構４０ａの前方側のプーリ４４ａと同軸となるよう並列に配設され、一方、搬送機構４０ｂの後方側（図１０の右側）のプーリ４４ｂは搬送機構４０ａの後方側のプーリ４４ａよりも後方に離間して配設されるようになっている。
【００３６】
また、案内板４８ｂには、案内板４８ａと同様に、長手方向（図１０の左右方向）に延びる貫通溝が形成されている。循環ベルト４２ｂの外面上には２つの押出部材５０ｂが取り付けられている。ここで、図１０に示すように２つの押出部材５０ｂは循環ベルト４２ｂ上において正反対の位相となる位置にそれぞれ取り付けられており、その高さは同一となっている。また、これらの押出部材５０ｂは、各々、案内板４８ｂの貫通溝を通過してこの案内板４８ｂの上方に突出可能となっている。そして、各押出部材５０ｂは、循環ベルト４２ｂが循環移動を行う際にカセット３０ｂのみに収納された最も下層にある景品Ｐをこのカセット３０ｂ内から景品繰出口３８（図８参照）を介して外に押し出し、案内板４８ｂ上を摺動させながらこの押し出された景品Ｐを景品一時保留部２８まで搬送するようになっている。
【００３７】
ここで、図１０に示すように、搬送機構４０ｂの各押出部材５０ｂにおける循環ベルト４２ｂからの高さは、搬送機構４０ａの押出部材５０ａにおける循環ベルト４２ａからの高さよりも低くなっている。しかしながら、各循環ベルト４２ａ、４２ｂの高さレベルが略同一であり、また、前述のように前方側（図１０の左側）のカセット３０ａにおける最も下層にある景品Ｐは、後方側（図１０の右側）のカセット３０ｂにおける最も下層にある景品Ｐよりも高い位置にあり、さらに、案内板４８ａは案内板４８ｂの真上に離間して設けられている。このため、押出部材５０ａはカセット３０ａのみに収納される景品Ｐをこのカセット３０ａから外部に取り出し、案内板４８ａ上を摺動させながらこの景品Ｐを景品一時保留部２８まで搬送するようになり、一方、押出部材５０ｂはカセット３０ｂのみに収納される景品Ｐをこのカセット３０ｂから外部に取り出し、案内板４８ｂ上を摺動させながらこの景品Ｐを景品一時保留部２８まで搬送するようになる。なお、押出部材５０ａは、下側の位置が待機位置となり、後方側のカセット３０ｂからの景品Ｐの繰り出しの邪魔にならないようにしている。また、前方側のカセット３０ａと後方側のカセット３０ｂから同時に景品Ｐを繰り出す場合は、押出部材５０ａが２つの押出部材５０ｂ、５０ｂの略中間に位置するような位相差で循環移動することとなる。
【００３８】
ここで、搬送機構４０ｂの押出部材５０ｂの個数は２つであることに限定されることはなく、搬送機構４０ａの押出部材５０ａの個数の２倍であれば、その個数が限定されることはない。例えば、前方側の搬送機構における押出部材の個数が２つである場合は、後方側の搬送機構における押出部材の個数は４つとなる。
【００３９】
次に、図１３乃至図１６を用いて、景品払出機１の景品一時保留部２８およびシャッタ機構２４の構成の詳細について説明する。ここで、図１３は、シャッタ機構２４の構成を説明するための説明図であって、シャッタ機構２４が閉じたときの状態を示す説明図であり、図１４は、シャッタ機構２４が完全に開いたときの状態を示す説明図である。また、図１５は、景品収納ユニット３０の各カセット３０ａ、３０ｂおよび景品一時保留部２８の配置を示す説明図であり、図１６は、図１５に示す配置図について、各景品収納ユニット３０および仕切板７０の位置関係を説明するための拡大説明図である。
【００４０】
シャッタ機構２４は、図１や図１３に示すような、景品一時保留部２８を覆い当該景品一時保留部２８からの景品Ｐの取り出しを阻止する受渡阻止位置と、図３や図１４に示すような、景品一時保留部２８から退避し当該景品一時保留部２８からの景品Ｐの取り出しを許容する受渡許容位置との間で往復移動するようになっている。
【００４１】
より具体的には、シャッタ機構２４は、図１３に示すように、上シャッタ部２４ａと、下シャッタ部２４ｂとから構成されている。更に詳しく説明すると、上シャッタ部２４ａは、シャッタ軸５２を中心として揺動するアーム６０の先端に取り付けられている。また、下シャッタ部２４ｂは、シャッタ軸５２を中心として、アーム６０と連動して揺動するカム６２の先端に取り付けられている。カム６２の根元部分には湾曲形状のラック５８が取り付けられており、このラック５８に円板形状のギア５６が噛み合うようになっている。また、カム６２はバネ部材６４の一端に接続されており、このバネ部材６４の他端は筐体１０内で位置固定されている。そして、円板形状のギア５６にはシャッタ駆動モータ５４が接続されている。
【００４２】
シャッタ駆動モータ５４がギア５６を回転させると、ラック５８を介してカム６２がシャッタ軸５２を中心として回転し、下シャッタ部２４ｂが図１３に示すような受渡阻止位置と図１４に示すような受渡許容位置との間で移動を行うようになる。一方、シャッタ軸５２においてカム６２とアーム６０との間には減速機構（図示せず）が設けられており、カム６２がシャッタ軸５２を中心として回転するとアーム６０はカム６２の約半分の角速度で同方向に回転するようになっている。このため、シャッタ駆動モータ５４がギア５６を回転させると、ラック５８およびカム６２を介してアーム６０もシャッタ軸５２を中心として回転し、上シャッタ部２４ａが図１３に示すような受渡阻止位置と図１４に示すような受渡許容位置との間で移動を行うようになる。なお、シャッタ駆動モータ５４が駆動を行わない場合は、バネ部材６４の収縮力により各シャッタ部２４ａ、２４ｂは図１４に示すような受渡許容位置に維持される。
【００４３】
このようにして、シャッタ駆動モータ５４の駆動により、上シャッタ部２４ａおよび下シャッタ部２４ｂが同時に受渡阻止位置と受渡許容位置との間で移動を行い、この際に、上シャッタ部２４ａの移動速度が下シャッタ部２４ｂの移動速度の約半分となる。このため、上シャッタ部２４ａおよび下シャッタ部２４ｂは、図１４に示すような互いに近接する位置（受渡許容位置）と、上シャッタ部２４ａの下方に下シャッタ部２４ｂが位置して両方のシャッタ部２４ａ、２４ｂで一体的に景品一時保留部２８を覆うような位置（受渡阻止位置）との間で往復移動を行うことができるようになる。
【００４４】
ここで、シャッタ駆動モータ５４がギア５６を正逆それぞれの方向に回転させる際に、ギア５６を図１３の時計回りに回転させる際の回転速度は、ギア５６を図１３の反時計回りに回転させる際の回転速度の約半分の大きさとなっている。このような構成により、シャッタ機構２４の各シャッタ部２４ａ、２４ｂがそれぞれ受渡許容位置から受渡阻止位置まで移動するときの移動速度は、受渡阻止位置から受渡許容位置まで移動するときの移動速度の約半分の大きさとなる。このことにより、シャッタ機構２４が閉じる際の速度が遅くなるので当該シャッタ機構２４の安全性を向上させることができる。
【００４５】
また、シャッタ機構２４における受渡許容位置（図１４参照）は、受渡阻止位置（図１３参照）の上後方（すなわち、図１３の右上方向）に存在している。このことにより、遊技客は景品一時保留部２８上にある景品Ｐを取る際にシャッタ機構２４が邪魔になることがなく、景品Ｐを取り出し易くなる。
【００４６】
また、シャッタ機構２４の各シャッタ部２４ａ、２４ｂのいずれか一方または両方には、透光性の窓部材（図示せず）が取り付けられている。このことにより、シャッタ機構２４が景品一時保留部２８を覆っている場合であっても、遊技客はこの窓部材を介して景品一時保留部２８上の景品Ｐを見ることができるようになり、投出完了を待つ遊技客にとって退屈しのぎとなるとともに、集積異常が発生した場合には状況を確認しやすくなっている。
【００４７】
前述のように、景品一時保留部２８は、景品搬送部４０により景品収納ユニット３０から景品Ｐが直接的に送られるようになっている（図５等参照）。この景品一時保留部２８には、当該景品一時保留部２８上に景品Ｐが存在するか否かを検知する景品有無検知センサ７２が取り付けられている。また、図１乃至図４に示すように、景品一時保留部２８の近傍における筐体１０の前方側には、各レーン毎に払出口ランプ７４が取り付けられている。各払出口ランプ７４は、対応するレーンにおける景品Ｐの繰り出しの最中から遊技客がシャッタ機構２４を開けて景品Ｐを取るまでの間は青色で点滅し、景品Ｐの繰り出し中にエラーが発生したときは赤色で点滅するようになっている。
【００４８】
また、図１３および図１６に示すように、景品一時保留部２８の上方には、垂直方向に延びる複数の略長方形状の仕切板７０が並列に配設されている。これらの仕切板７０は、各景品収納ユニット３０から送られる景品Ｐを景品一時保留部２８上の所定の位置に積み重ねて位置ズレを起こすことなく整列させるようになっている。これらの仕切板７０は、シャッタ機構２４と連動して移動するようになっている。より具体的には、図１３に示すように、各仕切板７０は全てシャッタ機構２４の下シャッタ部２４ｂの裏面に取り付けられている。このことにより、シャッタ機構２４が受渡阻止位置にあるときは、各仕切板７０は各景品収納ユニット３０から送られる景品Ｐを景品一時保留部２８上の所定の位置に積み重ねて整列させることができ、一方、シャッタ機構２４が受渡許容位置にあるときは、各仕切板７０は景品一時保留部２８から退避するようになり、遊技客が景品一時保留部２８上の景品Ｐを取り出すにあたりこれらの仕切板７０が邪魔になることはない。
【００４９】
次に、このような構成からなる景品払出機１の動作について以下に説明する。
まず、例えばパチンコ店等の遊技施設の営業前において、従業員は景品収納ユニット３０の各カセット３０ａ、３０ｂを筐体１０から取り出し、これらの各カセット３０ａ、３０ｂに景品Ｐを積層状態で収納する。具体的には、従業員が景品払出機１の操作部１４で入力した情報に基づいて、あるいは景品管理装置やターミナルコントローラ等の上位機（図示せず）から送信された設定情報に基づいて、各レーンの景品収納ユニット３０のカセット３０ａ、３０ｂにおける景品Ｐの種類の割り当てが設定される。そして、従業員は、この設定された情報を参照して、例えば、第１〜第３レーンの各カセット３０ａ、３０ｂに対して赤色の目印が付された５０００円相当の景品Ｐ（大景品）を、第４、第５レーンの各カセット３０ａ、３０ｂに対して青色の目印が付された１０００円相当の景品Ｐ（中景品）を、第６、第７レーンの各カセット３０ａ、３０ｂに対して黄色の目印が付された２００円相当の景品Ｐ（小景品）をそれぞれ収納する。なお、ここでは同一レーンの前方側のカセット３０ａと後方側のカセット３０ｂとで同一種類の景品Ｐを収納させているが、前方側のカセット３０ａと後方側のカセット３０ｂとで異なる種類の景品Ｐを収納させてもよい。
【００５０】
そして、従業員は、各カセット３０ａ、３０ｂの誤挿入防止部材３４を、収納された景品Ｐの種類に合致するよう設定するとともに、筐体１０における各カセット３０ａ、３０ｂが収容されるべき箇所に配設された突起部も、この景品Ｐの種類に合致するよう設定する。このことにより、カセット３０ａ、３０ｂを筐体１０に収容する際に景品Ｐの種類を誤って筐体１０に収容しようとした場合には、このカセット３０ａ、３０ｂを筐体１０内に正常に収容することができず、従業員は間違いに気づくことができる。このようにして、従業員は景品Ｐが収納されたカセット３０ａ、３０ｂを正確に筐体１０内に収容することができる。
【００５１】
次に、パチンコ店等の遊技施設の営業中において、遊技客は獲得したパチンコ玉等の遊技媒体を計数機（図示せず）で計数し、遊技客は計数機から計数レシートを取得する。そして、遊技客は、景品払出機１やこの景品払出機１に通信接続された景品管理装置（図示せず）が設置された景品交換カウンターにこの計数レシートを持ち込む。景品交換カウンターで待機している従業員は、計数レシートを遊技客から受け取り、景品管理装置のバーコードリーダ等でこの計数レシートに記録されたデータ（玉数等）を読みとる。なお、ここでは計数レシートが用いられているが、計数レシートの代わりに計数カードや貯玉データカードを用いるようになっていてもよい。遊技客が遊技媒体を景品Ｐに交換することを希望する場合、従業員が景品管理装置の所定のキーを押すと、計数レシートに記録された玉数等のデータが各種景品Ｐの個数に換算され、換算結果および景品Ｐの払出命令が景品管理装置から景品払出機１に伝達される。具体的には、例えば大景品８枚、中景品３枚、小景品４枚の払い出しを行うという払出命令が景品払出機１に送られる。
【００５２】
景品払出機１は、景品管理装置から払出命令を受けると、この払出命令における景品Ｐの種類および個数に基づいて、制御部２０が各景品搬送部４０に制御命令を送り景品収納ユニット３０の各カセット３０ａ、３０ｂからの景品Ｐの払い出しを行う。具体的には、大景品が収納された第１〜第３レーンのいずれか一つにおける景品搬送部４０が各カセット３０ａ、３０ｂから景品一時保留部２８への景品Ｐの搬送を行い、これと並行して、中景品、小景品がそれぞれ収納された第４、５レーンのいずれか一方ならびに第６、７レーンのいずれか一方における各景品搬送部４０がそれぞれ各カセット３０ａ、３０ｂから景品一時保留部２８への景品Ｐの搬送を行う。なお、待機状態において、シャッタ機構２４は閉じられた状態にある。
【００５３】
ここで、各景品搬送部４０による各カセット３０ａ、３０ｂから景品一時保留部２８への景品Ｐの搬送について更に詳しく説明する。
景品収納ユニット３０のカセット３０ａ、３０ｂに同じ種類の景品Ｐが収納されている場合、搬送機構４０ａの駆動モータ４６ａが循環ベルト４２ａを循環移動させるとともに、同時に搬送機構４０ｂの駆動モータ４６ｂが循環ベルト４２ｂを循環ベルト４２ａと同速度で循環移動させる。この際に、循環ベルト４２ａに取り付けられた押出部材５０ａが、循環ベルト４２ｂに取り付けられた２つの押出部材５０ｂと位相が重ならないよう、具体的には２つの押出部材５０ｂの中間に押出部材５０ａが位置するよう、各循環ベルト４２ａ、４２ｂの循環移動が行われる。
【００５４】
循環ベルト４２ａが循環移動を行う際に、この循環ベルト４２ａに取り付けられた押出部材５０ａが、前方側のカセット３０ａに収納された最も下層にある景品Ｐをこのカセット３０ａ内から景品繰出口３８（図８参照）を介して外に押し出し、案内板４８ａ上を摺動させながらこの押し出された景品Ｐを景品一時保留部２８まで搬送させる。同時に、循環ベルト４２ｂが循環移動を行う際に、この循環ベルト４２ｂに取り付けられた押出部材５０ｂが、後方側のカセット３０ｂに収納された最も下層にある景品Ｐをこのカセット３０ｂ内から景品繰出口３８（図８参照）を介して外に押し出し、案内板４８ｂ上を摺動させながらこの押し出された景品Ｐを景品一時保留部２８まで搬送させる。
【００５５】
このようにして、例えば循環ベルト４２ｂが一周する間に、循環ベルト４２ａが二周してこの循環ベルト４２ａに取り付けられた押出部材５０ａが２つの景品Ｐを前方側のカセット３０ａから景品一時保留部２８に搬送し、同時に循環ベルト４２ｂに取り付けられた２つの押出部材５０ｂがそれぞれ１つずつの景品Ｐ（合計２つの景品Ｐ）を後方側のカセット３０ｂから景品一時保留部２８に搬送し、合計４つの景品Ｐが景品一時保留部２８上に積み重ねられる。この４つの景品Ｐは、シャッタ機構２４の下シャッタ部２４ｂに各レーン毎に取り付けられた仕切板７０により互いの位置がずれないよう整列させられる。
【００５６】
一方、景品収納ユニット３０のカセット３０ａ、３０ｂに異なる種類の景品Ｐが収納されている場合や、搬送機構４０ａ、４０ｂのいずれか一方に故障が発生した場合は、搬送機構４０ａの駆動モータ４６ａまたは搬送機構４０ｂの駆動モータ４６ｂのいずれか一方のみが、対応する循環ベルト４２ａ、４２ｂを循環移動させる。この場合は、カセット３０ａ、３０ｂのいずれか一方のものから景品Ｐが景品一時保留部２８に搬送されることとなる。
【００５７】
そして、景品管理装置から伝達された払出命令における全ての種類および個数の景品Ｐが景品収納ユニット３０から景品一時保留部２８に送られると、制御部２０はシャッタ機構２４を制御してこのシャッタ機構２４を開くようにする。具体的には、制御部２０はシャッタ駆動モータ５４に指令を送り、このシャッタ駆動モータ５４がギア５６を回転させる。このことにより、ラック５８を介してカム６２がシャッタ軸５２を中心として回転し、下シャッタ部２４ｂが図１３に示すような受渡阻止位置から図１４に示すような受渡許容位置まで移動する。同時に、アーム６０もシャッタ軸５２を中心として回転し、上シャッタ部２４ａが図１３に示すような受渡阻止位置から図１４に示すような受渡許容位置まで移動する。このことにより、上シャッタ部２４ａおよび下シャッタ部２４ｂが同時に図１４に示すような受渡許容位置に移動して、景品の前方から上方にかけて広い範囲が開放されることになるので、遊技客は景品一時保留部２８上に置かれた景品Ｐを取り出すことができるようになる。
【００５８】
遊技客が景品一時保留部２８上に置かれた景品Ｐを全て取り出し、このことが景品有無検知センサ７２（図３参照）により検知されると（具体的には、全ての景品有無検知センサ７２が「景品無し」を検知すると）、制御部２０はシャッタ機構２４を制御してこのシャッタ機構２４を閉じるようにする。具体的には、制御部２０はシャッタ駆動モータ５４に指令を送り、このシャッタ駆動モータ５４がギア５６を前述の回転とは逆方向に回転させる。このことにより、上シャッタ部２４ａおよび下シャッタ部２４ｂが同時に図１４に示すような受渡許容位置から図１３に示すような受渡阻止位置に移動することとなる。一方、少なくとも一つの景品一時保留部２８の景品有無検知センサ７２が「景品有り」を検知している間は、シャッタ機構２４は閉じられず、受渡許容位置のまま保持される。
【００５９】
ここで、景品一時保留部２８に景品が払い出され、シャッタ機構２４が開放された状態で、所定時間が経過しても景品Ｐが取り出されない場合（すなわち、景品有無検知センサ７２が「景品有り」を検知したままの場合）に、「景品の取り忘れ発生」が判断される。なお、所定時間は従業員により自在に設定可能となっており、例えば３０秒程度とされる。「景品の取り忘れ発生」が判断されたときには、景品払出器１および／または景品管理装置において警報を発するとともに、シャッタ機構２４が閉じられる。これは、取り忘れた景品Ｐを次の遊技客が誤って取ることを防止するためである。その後、従業員の操作によりシャッタ機構２４を開放し、景品Ｐを取り出す。景品Ｐを取り忘れた遊技客がその場にいれば景品Ｐを渡し、いなければ店側が当該景品Ｐを回収する。
【００６０】
なお、各払出口ランプ７４は、対応するレーンにおける景品Ｐの繰り出しの最中から遊技客がシャッタ機構２４を開けて景品Ｐを取るまでの間は青色で点滅し、景品Ｐの繰り出し中にエラーが発生したときは赤色で点滅する。
【００６１】
以上のように本実施の形態の景品払出機１によれば、景品搬送部４０は景品収納ユニット３０の各カセット３０ａ、３０ｂにおける最も下層にある景品Ｐを景品一時保留部２８に直接的に搬送するようになっており、シャッタ機構２４は、景品一時保留部２８を覆い当該景品一時保留部２８からの景品Ｐの取り出しを阻止する受渡阻止位置と、景品一時保留部２８から退避し当該景品一時保留部２８からの景品Ｐの取り出しを許容する受渡許容位置との間で往復自在となっている。このように、景品収納ユニット３０の各カセット３０ａ、３０ｂから景品Ｐを直接的に景品一時保留部２８まで搬送するので、景品払出機１の前後方向の長さを短くすることができ、景品払出機１の設置スペースの自由度を大きくすることができる。また、このことにより、景品収納ユニット３０の各カセット３０ａ、３０ｂから、遊技客等がアクセス可能な位置までの景品Ｐの搬送時間を短縮することができ、しかも、この搬送に必要な駆動機構の構成をシンプルなものとすることができる。さらに、受渡阻止位置と受渡許容位置との間で往復移動自在となっているシャッタ機構２４を設けることにより、遊技客や従業員に対して景品Ｐを景品一時保留部２８から取り出すタイミングを知らせることができ、遊技客等は所望の数量の景品Ｐを確実に取得することができるようになる。
【００６２】
なお、本発明による景品払出機は、上記の態様に限定されるものではなく、様々の変更を加えることができる。
本発明による景品払出機の他の実施の形態について以下に説明する。図１乃至図１６に示す景品払出機１、２は景品Ｐを遊技客側に払い出すものであるが、本発明による景品払出機はこのような例に限定されることはなく、景品Ｐを従業員側に払い出すような構成となっていてもよい。具体的には、例えば図５に示すような景品払出機１に対して、操作部１４および店側表示部１６の位置と、客側表示部１８の位置とを交換し、本体扉１２の取り付け方向を変えることにより、景品Ｐを従業員側に払い出すような景品払出機が構成される。
【００６３】
また、景品搬送部の搬送機構としては循環ベルトを有するものに限定されることはなく、搬送機構がトラバースカム方式によりそれぞれ対応する各カセットから景品を景品一時保留部に搬送するようになっていてもよい。
【００６４】
また、景品払出機において一つのレーンに設置されるカセットおよび搬送機構の数がそれぞれ２つであることに限定されることはなく、一つのレーンに３つ以上のカセットおよび搬送機構が設置されていてもよい。この場合、各々のカセットに対応して搬送機構が同数配設されることとなる。
【００６５】
また、各仕切板はシャッタ機構の下シャッタ部の裏面に取り付けられることに限定されることはなくシャッタ機構とは分離して設けられていてもよい。この場合であっても、シャッタ機構が受渡阻止位置にあるときには各仕切板は景品一時保留部の近傍に位置し、これらの仕切板は各景品収納ユニットから送られる景品を景品一時保留部上の所定の位置に積み重ねて位置ズレを起こすことなく整列させるようになっており、シャッタ機構が受渡許容位置に移動したときには各仕切板は景品一時保留部の上方または下方に移動してこの景品一時保留部から離間するようになっている。
【図面の簡単な説明】
【００６６】
【図１】本発明の一の実施の形態における景品払出機の斜視図である。
【図２】図１に示す景品払出機について、本体扉を開けたときの内部の構成を示す斜視図である。
【図３】図１に示す景品払出機について、シャッタ機構を開けたときの状態を示す斜視図である。
【図４】図１に示す景品払出機について、非常時にメンテナンス用扉を開けたときの状態を示す斜視図である。
【図５】図１に示す景品払出機とその筐体内に収容されたカセットおよび景品搬送部の状態を示す説明図である。
【図６】図１に示す景品払出機における景品搬送部の全体構成を示す斜視図である。
【図７】図６に示す景品搬送部における下半部分の構成を示す斜視図である。
【図８】図１に示す景品払出機における各カセットの構成を示す斜視図である。
【図９】図１に示す景品払出機に収納される景品の構成の詳細を示す説明図である。
【図１０】図１に示す景品払出機における景品搬送部の構成の概略を示す説明図である。
【図１１】図１０に示す景品搬送部を左方（装置前方）から見た説明用正面図である。
【図１２】図１０に示す景品搬送部を上方から見た説明用上面図である。
【図１３】図１に示す景品払出機におけるシャッタ機構の構成を説明するための説明図であって、シャッタ機構が閉じたときの状態を示す説明図である。
【図１４】図１３に示す景品払出機について、シャッタ機構が完全に開いたときの状態を示す説明図である。
【図１５】図１に示す景品払出機について、景品収納ユニットの各カセットおよび景品一時保留部の配置を示す説明図である。
【図１６】図１５に示す配置図について、各景品収納ユニットおよび仕切板の位置関係を説明するための拡大説明図である。
【符号の説明】
【００６７】
１    景品払出機
１０  筐体
１２  本体扉
１４  操作部
１６  店側表示部
１８  客側表示部
２０  制御部
２２  電源部
２４  シャッタ機構
２４ａ  上シャッタ部
２４ｂ  下シャッタ部
２６  メンテナンス用扉
２８  景品一時保留部
３０  景品収納ユニット
３０ａ、３０ｂ  カセット
３０ｐ  側壁
３０ｑ  前壁（蓋部）
３２  把手
３４  誤挿入防止部材
３６  底面部材
３８  景品繰出口
４０  景品搬送部
４０ａ、４０ｂ  搬送機構
４２ａ、４２ｂ  循環ベルト
４４ａ、４４ｂ  プーリ
４６ａ、４６ｂ  駆動モータ
４８ａ、４８ｂ  案内板
５０ａ、５０ｂ  押出部材
５２  シャッタ軸
５４  シャッタ駆動モータ
５６  ギア
５８  ラック
６０  アーム
６２  カム
６４  バネ部材
７０  仕切板
７２  景品有無検知センサ
７４  払出口ランプ
Ｐ    景品
Ｉ    非接触ＩＣタグ
【図１】
2008079758.tif 000003
【図２】
2008079758.tif 000004
【図３】
2008079758.tif 000005
【図４】
2008079758.tif 000006
【図５】
2008079758.tif 000007
【図６】
2008079758.tif 000008
【図７】
2008079758.tif 000009
【図８】
2008079758.tif 000010
【図９】
2008079758.tif 000011
【図１０】
2008079758.tif 000012
【図１１】
2008079758.tif 000013
【図１２】
2008079758.tif 000014
【図１３】
2008079758.tif 000015
【図１４】
2008079758.tif 000016
【図１５】
2008079758.tif 000017
【図１６】
2008079758.tif 000018